(57)【要約】【課題】カップボード（４０、７０、１０５、１１０、１５０）が、カップボード保持デバイス（４０、９０、１２４、１６３）のフック（４１、７３、９１、１２５、１６２）によって、壁（４８、７７、９８、１１４、１５４）に固定された支持体（４７、７６、９７、１１５、１５５）にフック止めされる、壁掛け型カップボード用外れ止めシステムを提供する。【解決手段】フック（４１、７３、９１、１２５、１６２）と、支持体（４７、７６、９７、１１５、１５５）が、係合−係合解除自在の解除手段（５１、７９、１０１、１２１、１６０、１６７）が設けられている。【選択図】図８
2012524873.tif 000002
【特許請求の範囲】
【請求項１】
カップボード（４０、７０、１０５、１１０、１５０）が、カップボード保持デバイス（４０、９０、１２４、１６３）のフック（４１、７３、９１、１２５、１６２）によって、壁（４８、７７、９８、１１４、１５４）に固定された支持体（４７、７６、９７、１１５、１５５）にフック止めされた、壁掛け型カップボード用の外れ止めシステムにおいて、
前記フック（４１、７３、９１、１２５、１６２）と、前記支持体（４７、７６、９７、１１５、１５５）との間に、係合−係合解除自在の解除手段（５１、７９、１０１、１２１、１６０、１６７）が設けられている、ことを特徴とするシステム。
【請求項２】
請求項１に記載のシステムにおいて、
前記解除手段は、前記フック（４１）に螺着した、前記支持体（４７）と干渉するのに適したグレイン（５１）を含む、ことを特徴とするシステム。
【請求項３】
請求項１に記載のシステムにおいて、
前記解除手段は、前記支持体（７６）に適用された、前記フック（７３）と干渉するのに適したブロックデバイス（７９）を含む、ことを特徴とするシステム。
【請求項４】
請求項１に記載のシステムにおいて、
前記解除手段は、前記支持体（９７）に適用された、弾性的に撓む手段（１０３）によって前記フック（９１）と干渉するのに適したデバイス（１０１）を含む、ことを特徴とするシステム。
【請求項５】
請求項１に記載のシステムにおいて、
前記解除手段は、前記支持体（１１５）に適用された、前記フック（１２５）と干渉するのに適した弾性的に撓むシート（１２１）を含む、ことを特徴とするシステム。
【請求項６】
請求項１に記載のシステムにおいて、
前記解除手段は、前記フック（１６２）及び前記支持体（１５５）の夫々に位置決めされた相互フック手段を含む、ことを特徴とするシステム。
【請求項７】
請求項２に記載のシステムにおいて、
前記グレイン（５１）は、ねじ区分（５２）、チップ（５３）、及び操作工具用の賦形ヘッド（５４）を含み、前記グレイン（５１）は、前記チップ（５３）を前記支持体（４７）と係合させ、前記フック（４１）が前記支持体（４７）にフック止めされた状態から偶発的に外れることがないように、前記フック（４１）のねじ座（５６）にねじ込まれる、ことを特徴とするシステム。
【請求項８】
請求項２に記載のシステムにおいて、
前記グレイン（５１）は、前記フック（４１）から下方に突出したフランジ（５７）に設けられたねじ座（５６）にねじ込まれ、前記フランジ（５７）は、前記フック（４１）の歯（４５）と向き合っており、前記フック（４１）の歯（４５）よりも下の適当な高さに配置されており、前記グレイン（５１）が後位置にある場合、家具（５８）のピースが前記壁（４８）にフック止めされた後、前記グレイン（５１）を前進位置までねじ込むと、前記チップ（５３）が前記支持体（４７）に当たって止まり、これと干渉する、ことを特徴とするシステム。
【請求項９】
請求項８に記載のシステムにおいて、
前記支持体（４７）は、「Ｃ字形状」区分を持つバーであり、前記フック（４１）の前記歯（４５）がフック止めされる区分（４６）を有し、前記グレイン（５１）のチップ（５３）が、前進位置で、前記「Ｃ字形状」区分と係合する、ことを特徴とするシステム。
【請求項１０】
請求項２に記載のシステムにおいて、
前記グレイン（５１）は、前記フック（４１）を跨いで取り外し自在に挿入されたステープル（６３）の整合したねじ穴（６４）と螺合する、ことを特徴とするシステム。
【請求項１１】
請求項１に記載のシステムにおいて、
前記ブロックデバイス（７９）は、前記支持体（７９）上で、前記フック（７３）から離間された待機位置と、前記フックが前記バー（７６）にフック止めされた状態から偶発的に外れることがないようにするため、前記ブロックデバイス（７９）が前記フック（７３）に連結された作動位置との間で摺動できる、ことを特徴とするシステム。
【請求項１２】
請求項１１に記載のシステムにおいて、
前記ブロックデバイス（７９）は、スライダ（８０）及び前記家具の上部分から突出した操作ハンドル（８１）を含み、これらを用いて前記デバイス（７９）をバー（７６）に沿って両方向（８２、８３）に摺動できる、ことを特徴とするシステム。
【請求項１３】
請求項１１に記載のシステムにおいて、
前記支持体（７６）は、ウィング（８４）を持つ実質的に「Ｃ字形状」区分と、前記「Ｃ」の上ウィング（８４）から垂直方向に突出した、前記フック（７３）の歯（７４）のフック止め区分（７５）とを有し、前記ブロックデバイス（７９）は、下区分（８５）及び一対の上歯（８６）が弾性的に撓むことによって前記支持体（７６）に摺動態様で適用され、前記区分（８５）は前記支持体（７６）の下ウィング（８４）に適用され、これに対し前記歯（８６）は前記区分（７５）にカチッと嵌まるように適用され、前記デバイス（７９）の両側に弾性的に撓む歯（８７）が設けられており、これらの歯（８７）は、二つの歯（８７）の一方が前記フック（７３）の前環状端（８８）にカチッと嵌まって係合するまで前記デバイス（７９）が摺動できるように、前記支持体（７６）の上方にある、ことを特徴とするシステム。
【請求項１４】
請求項４に記載のシステムにおいて、
前記デバイス（１０１）は、前記支持体（９７）の前記上部分から突出したシート（１０２）を含み、前記支持体（９７）の前記上部分から突出した前記シート（１０２）から、弾性的に撓む一連のエレメント（１０３）が延びており、これらのエレメントは、前記支持体（９７）の区分（９６）にフック止めするのに適した歯（９５）を含む前記フック（９１）の前端を通すための通路（１０４）を形成するように前記支持体（９７）の上方に位置決めされ、壁への家具の組み立て中、前記弾性エレメント（１０３）は前記フック（９１）の前端によって押され、前記支持体（９７）の前記区分（９６）に前記歯（９５）を通してこれと係合でき、前記弾性エレメント（１０３）は前記歯（９１）の自由端の上方の元の休止位置に自動的に戻り、フック止めされた状態から偶発的に外れることがないようにする、ことを特徴とするシステム。
【請求項１５】
請求項５に記載のシステムにおいて、
前記弾性的に撓む金属製シート（１２１）は、前記家具のピースを支持するプラック（１１５）の部分であり、前記プラック（１１５）は、コア（１１７）及びウィング（１１８）を持つ「Ｃ字形状」中央区分を含み、前記ウィング（１１８）からフランジ（１１９）が突出しており、前記フランジ（１１９）には、前記プラック（１１５）を壁（１１４）に通すための穴（１２０1）が設けられており、前記コア（１１７）には、前記カップボード保持デバイス（１２４）から突出したフック（１２５）用の通路（１２２）を形成するように前記金属製シート（１２１）によって部分的に閉鎖された少なくとも一つの開口部（１２０）が設けられ、前記フック（１２５）の前部は、前記可撓性シート（１２１）を内方に撓ませて前記開口部（１２０）にフック止めするのに適した歯（１２９）で終端し、前記歯（１２９）は前記プラック（１１５）の前記コア（１１７）にフック止めし、前記シート（１２１）は、前記フック（１２５）の上方にある待機位置に戻ることを特徴とするシステム。
【請求項１６】
請求項６に記載のシステムにおいて、
前記解除手段は、前記支持体（１５５）の相補的フラップ（１６０）と係合するのに適したフック歯（１６７）で前部分が終端するフック（１７２）を含む、ことを特徴とするシステム。
【請求項１７】
請求項１２に記載のシステムにおいて、
前記バー（７６）は、ウィング（８４）を持つ実質的に「Ｃ字形状」区分と、前記「Ｃ」の上ウィング（８４）から垂直方向に突出した、前記フック（７３）の歯（７４）をフック止めするための区分（７５）とを含み、前記スライダ（８０）は、下区分（８５）及び一対の上歯（８６）が弾性的に撓むことによって前記バー（７６）に摺動態様で適用され、前記区分（８５）は前記バー（７６）の前記下ウィング（８４）に適用され、これに対し、前記歯（８６）は前記区分（７５）に対してカチッと適用され、前記デバイス（７９）は、前記ハンドル（８１）のベースのところに、実際には前記スライダ（８０）と前記ハンドル自体との間に弾性的に撓む歯（８７）が両側に設けられており、これらの歯は、前記二つの歯（８７）の一方が前記フック（７３）の前環状端（８８）にカチッと嵌まってこれと係合し、取り付けらするまで、前記スライダ（８０）が両方向に摺動できるように、前記バー（７６）の上方にこれと平行に配置されている、ことを特徴とするシステム。
【発明の詳細な説明】
【技術分野】
【０００１】
本発明は、固定された壁支持体にフック止めした壁掛け型カップボード用の外れ止めシステムに関する。壁支持体は、一般的には、適当な形状の金属製のバー又はプレートである。
【背景技術】
【０００２】
当業者に周知のように、カップボードを壁に固定するためのシステムは、カップボードのカバー（このカバーが設けられている場合）を通って後方に延びるフックを含む、カップボード保持デバイス（壁ブラケット）を使用するものと考えられている。フックは、壁に固定された上バー又はプレートに自由にフック止めされる。
【０００３】
この種のカップボード保持デバイスは、例えば、欧州特許第ＥＰ  ００３３１７９  Ｂ１号及び欧州特許第ＥＰ  ０６３２９７９  Ａ１号から周知である。
【０００４】
カップボードに下から上に力が直接加わると、カップボードは支持体にフック止めされた状態から外れて落下し、物ばかりでなく人に、場合によっては重大な損傷を及ぼす。
【０００５】
こうした可能性は、床から比較的低い高さのところに壁掛け型カップボードを組み立てることが益々多くなっているため、現在、益々大きくなっている。このことは、フック止めされた状態から偶発的に外れる上述の危険を、特に子供たちに対して増大する。
【０００６】
更に、様々な国々で現在採用されている及び採用されようとしている安全規格によれば、壁掛け型カップボードと関連して偶発的外れ止めシステム(accidental release-preventing system)を使用することが義務付けられている。
【先行技術文献】
【特許文献】
【０００７】
【特許文献１】欧州特許第ＥＰ  ００３３１７９  Ｂ１号
【特許文献２】欧州特許第ＥＰ  ０６３２９７９  Ａ１号
【発明の概要】
【発明が解決しようとする課題】
【０００８】
従って、本発明の概括的目的は、固定された壁支持体、例えば金属製賦形バーにフック止めされた壁掛け型カップボード用の外れ止めシステムを提供することである。この外れ止めシステムは、前記カップボードが前記バーにフック止めされた状態から望ましからぬことに外れてしまうことがないようにする。
【０００９】
本発明の別の目的は、構造的に簡単であり、壁掛け型カップボードの組み立てを複雑にしない外れ止めシステムを提供することである。
【００１０】
本発明の更に別の目的は、係合解除が容易な、即ち必要な場合にカップボードを壁から容易に且つ手早く取り外すことができる外れ止めシステムを提供することである。
【課題を解決するための手段】
【００１１】
以上の目的は、本発明によれば、本明細書に添付した特許請求の範囲に定義された外れ止めシステムによって達成される。
【００１２】
本発明の構造的及び機能的特徴、及び周知の技術に関する利点は、本発明の新規な原理による壁掛け型カップボード用外れ止めシステムの可能な実施例を示す添付図面を参照して以下の説明を読むことにより更に明らかになるであろう。
【図面の簡単な説明】
【００１３】
【図１】図１は、本発明による外れ止めシステムの第１実施例を示す分解斜視図である。
【図２】図２は、組み立てた状態の図１のシステムを示す斜視図である。
【図３】図３は、壁に固定されたバーにカップボードをフック止めする場合に、壁掛け型カップボードと関連する図１及び図２のシステムを示す斜視図である。
【図４】図４は、壁に固定されたバーにカップボードをフック止めする場合に、壁掛け型カップボードと関連する図１及び図２のシステムを示す側面図である。
【図５】図５は、カップボードが壁に取り付けられたブロック位置で外れ止めシステムを作動した状態の図３のシステムを示す図である。
【図６】図６は、カップボードが壁に取り付けられたブロック位置で外れ止めシステムを作動した状態の図４のシステムを示す図である。
【図７】図７は、カップボードが壁に取り付けられたブロック位置で外れ止めシステムを作動した状態の図３のシステムを示す図である。
【図８】図８は、カップボードが壁に取り付けられたブロック位置で外れ止めシステムを作動した状態の図４のシステムを示す図である。
【図９】図９は、本発明による外れ止めシステムの第２の可能な実施例を示す、図１と同様の分解斜視図である。
【図１０】図１０は、本発明による外れ止めシステムの第２の可能な実施例を示す、図２と同様の斜視図である。
【図１１】図１１は、本発明による外れ止めシステムの第３の可能な実施例を示す、斜視図である。
【図１２】図１２は、本発明による外れ止めシステムの第３の可能な実施例を示す、斜視図である。
【図１３】図１３は、本発明による外れ止めシステムの第３の可能な実施例を示す、拡大斜視図である。
【図１４】図１４は、本発明による外れ止めシステムの第３の可能な実施例を示す、拡大斜視図である。
【図１５】図１５は、本発明による外れ止めシステムの第４の可能な実施例を示す、斜視図である。
【図１６】図１６は、本発明による外れ止めシステムの第４の可能な実施例を示す、側面図である。
【図１７】図１７は、本発明による外れ止めシステムの第４の可能な実施例を示す、斜視図である。
【図１８】図１８は、本発明による外れ止めシステムの第４の可能な実施例を示す、側面図である。
【図１９】図１９は、本発明による外れ止めシステムの第４の可能な実施例を示す、斜視図である。
【図２０】図２０は、本発明による外れ止めシステムの第４の可能な実施例を示す、側面図である。
【図２１】図２１は、本発明による外れ止めシステムの第５の可能な実施例を示す、斜視図である。
【図２２】図２２は、本発明による外れ止めシステムの第５の可能な実施例を示す、斜視図である。
【図２３】図２３は、本発明による外れ止めシステムの第５の可能な実施例を示す、断面図である。
【図２４】図２４は、本発明による外れ止めシステムの第５の可能な実施例を示す、斜視図である。
【図２５】図２５は、本発明による外れ止めシステムの第５の可能な実施例を示す、斜視図である。
【図２６】図２６は、本発明による外れ止めシステムの第５の可能な実施例を示す、断面図である。
【図２７】図２７は、本発明による外れ止めシステムの第５の可能な実施例を示す、斜視図である。
【図２８】図２８は、本発明による外れ止めシステムの第５の可能な実施例を示す、斜視図である。
【図２９】図２９は、本発明による外れ止めシステムの第５の可能な実施例を示す、断面図である。
【図３０】図３０は、本発明による外れ止めシステムの第６の可能な実施例を示す、側面図である。
【図３１】図３１は、本発明による外れ止めシステムの第６の可能な実施例を示す、側面図である。
【図３２】図３２は、本発明による外れ止めシステムの第６の可能な実施例を示す、側面図である。
【図３３】図３３は、図３０の拡大詳細図である。
【図３４】図３４は、図３１の拡大詳細図である。
【図３５】図３５は、図３２の拡大詳細図である。
【発明を実施するための形態】
【００１４】
先ず最初に、添付図面のうちの図１及び図２を参照すると、例えば欧州特許第ＥＰ  ００３３１７９  Ｂ１号及び欧州特許第ＥＰ  ０６３２９７９  Ａ１号に記載された、一般に周知の種類のカップボード保持デバイスの全体に参照番号４０が付してある。出典を明示することにより、これらの特許に開示された全ての内容は本明細書の開示の一部とされる。  カップボード保持デバイス４０は、ボックス状本体４２から延びる移動自在のフック４１を含む。
【００１５】
ボックス状本体４２の内部には、ねじ４３、４４の夫々によってフック４１の深さ位置及び高さ位置を調節する機構（これは周知である）が設けられている。
【００１６】
フック４１の前部は、ペグ４９によって壁４８に固定された金属製のバー４７（図３乃至図８参照）の対応する区分４６にフック止めされるようになった歯４５で終端する。添付図面から明らかにわかるように、バー４７の区分４６は、歯４５が受け入れられるチャンネル５０を壁４８とともに形成する。バー４７は「Ｃ」字形状区分を有し、その上側の横方向に延びる部分即ち上ウィングから垂直方向上方に区分４６が延びている。
【００１７】
本発明の特徴によれば、外れ止めシステムがフック４１の歯４５及びバー４７と協働する。図１乃至図８に示す実施例では、外れ止めシステムは、グレイン(grain) ５１を含む。グレイン５１は、ねじ部分５２、チップ５３、及びネジ回し５５等の操作器具用の賦形ヘッド５４を含む。
【００１８】
前記グレイン５１は、フック４１から下方に延びるフランジ５７に配置されたねじ座５６と螺着する。フランジ５７は、歯４５よりも下の適当な高さのところで歯４５に関して向き合っている。
【００１９】
上文中に説明したように製造されたカップボード保持デバイス４０を、参照番号５８を付した壁掛け型カップボードに固定する。壁掛け型カップボードは、肩部５９、ヘッド６０、及びカバー６１を含む。更に詳細には、二つのカップボード保持デバイス４０を前記カップボード５８の上後縁（左右の後縁）と対応して固定する。
【００２０】
本発明の第１実施例による外れ止めシステムの機能を図３乃至図８の作動順序で明確に示し、これを以下に簡単に説明する。
【００２１】
グレイン５１が図３乃至図６の非作動位置にある状態で、フック４１の歯４５をチャンネル５０に挿入することによってカップボード５８を壁４８にフック止めする。このようにして、カップボード５８の重量により歯４５をバー４７の区分４６と係合する（図５及び図６参照）。
【００２２】
カップボード５８をこのように位置決めした状態で、ネジ回し５５によってグレイン５１を図７及び図８の作動前方位置にねじ込み、かくしてチップ５３をバー４７の「Ｃ」字形状区分に挿入し、「Ｃ」字形状区分の水平上ウィングが形成するアンダーカットと係合する。
【００２３】
従って、上方に差し向けられた力がカップボード５８に偶発的に加わった場合、グレイン５１とバー４７との間の干渉により、歯４５がバー４７の区分４６にフック止めされた状態から外れることがないようにする。
【００２４】
他方、必要な場合には、歯４５をバー４７の区分４６から位置的に外す。これは、単にグレイン５１を緩めて図３及び図４の非作動位置後位置に戻すことによって行われる。
【００２５】
図９及び図１０は、本発明の第２実施例を示す。この実施例は、図１乃至図８に示す実施例と完全に等価であり、唯一の相違点は、図１乃至図８の実施例のねじ穴５６を備えたフランジ５７がフック４１と一体であるのに対し、図９及び図１０の実施例では、ステープル６３が、図示のように、フック４１を跨いで取り外し自在に挿入されるということである。前記ステープル６３には、グレイン５１がねじ込まれ、図１乃至図８を参照して説明したのと全く同じ方法で作動する整合したねじ穴６４が設けられている。
【００２６】
図１３及び図１４は、全体に参照番号７０を付した壁掛け型カップボードを部分的に示す。カップボードは、肩部７１、ヘッド７２、及び後カバー（図示せず）を含む。
【００２７】
カップボード保持デバイスがカップボードの各肩部７１に固定されている。カップボード保持デバイスは、例えば、欧州特許第ＥＰ  ００３３１７９  Ｂ１号及び欧州特許第ＥＰ  ０６３２９７９  Ａ１号に記載されており且つ図示された種類のデバイスであってもよい。
【００２８】
前記カップボード保持デバイスは、カップボードから後方に延びる移動自在のフック７３を含む。このフック７３には歯７４が設けられている。
【００２９】
フック７３の深さ位置及び高さ位置は、周知の方法で調節できる。
【００３０】
前記歯７４は、壁７７にペグ７８によって固定できる金属製バー７６の対応する区分にフック止めされるようになっている。
【００３１】
本発明のこの第３の実施例によれば、好ましくは１個のプラスチック材料（図１２参照）で型成形されたブロックデバイス７９がバー７６に組み立てられ、フック７３がバー７６にフック止めされた状態から偶発的に外れることがないようにするという意味でフック７３と協働する。
【００３２】
更に詳細には、前記ブロックデバイス７９は、スライダ８０及び操作ハンドル８１を含み、これによって、デバイスはバー７６に沿って矢印８２、８３の方向に摺動できる。バー７６は、ウィング８４を持つ実質的に「Ｃ」字形状区分を有し、フック止め区分７５が上ウィング８４から垂直方向に延びている。
【００３３】
添付図面から明らかにわかるように、スライダ８０は、弾性的に撓む下区分８５及び一対の上歯８６によってバー７６に摺動自在に適用される。区分８５はバー７６の下ウィング８４に適用され、これに対し歯８６は区分７５にカチッと適用される。
【００３４】
ブロックデバイス７９は、ハンドル８１のベースのところに、特にスライダ８０とハンドル８１との間に、弾性的に撓む歯８７を備えている。この歯８７は、バー７６の上方にこのバーと平行に配置される。
【００３５】
図１３及び図１４の作動順序に示すように、カップボード７０が左右のカップボード保持デバイスの歯７４によってバー７６にフック止めされた状態で、ヘッド７２から突出したブロックデバイスのハンドル８１に容易にアクセスできる。このようにして、スライダ８０を、二つの歯８７の一方がフック７３の前環状縁部８８とカチッと係合し、これと重なるまで、いずれかの方向に摺動できる。
【００３６】
歯７４がバー７６にフック止めされた状態から偶発的に外れることがないようにされるということは明らかである。
【００３７】
必要であれば、スライダ８０を逆に操作することによって歯８７をフック７３から外すことができ、かくしてカップボードをバー７６から外すことができる。
【００３８】
図１５乃至図２０は、本発明の第４の可能な実施例を示す。
【００３９】
図１５乃至図２０では、例えば欧州特許第ＥＰ  ０３３１７９  Ｂ１号及び欧州特許第ＥＰ  ０６３２９７９  Ａ１号に記載された一般的に周知の種類のカップボード保持デバイスの全体に参照番号９０が付してある。出典を明示することにより、これらの特許に開示された全ての内容は本明細書の開示の一部とされる。
【００４０】
カップボード保持デバイス９０は、ボックス状本体９２から延びるフック９１を含む。
【００４１】
ボックス状本体９２の内部には、ねじ９３、９４の夫々によってフック９１の深さ位置及び高さ位置を調節する機構（これは周知である）が設けられている。
【００４２】
フック９１の前部は、ペグ９９によって壁９８に固定された金属製のバー９７（図１７乃至図２０参照）の対応する区分９６にフック止めされるようになった歯９５で終端する。
【００４３】
添付図面から明らかにわかるように、バー９７の区分９６は、歯９５が受け入れられるチャンネル１００を壁９８とともに形成する。バー９７は「Ｃ」字形状区分を有し、その上ウィングから垂直方向上方に上区分９６が延びている。
【００４４】
本発明の第４実施例の特徴によれば、全体に参照番号１０１を付したブロックデバイスがバー９７及びフック９１の環状前部分と協働する。
【００４５】
前記デバイス１０１は、バー９７の後側で壁に固定されたプレート１０２を含む。このプレート１０２には、弾性的に撓む一連のエレメント１０３が設けられている。添付図面から明らかにわかるように、前記エレメント１０３は、バー９７の区分９６の上方に位置決めされており、この区分と同一平面内にあり、所定距離離間されており、かくしてフック９１の前端を通すための通路１０４を形成する。
【００４６】
上述のブロックデバイス１０１は、バー９７の部分を形成してもよい。
【００４７】
本発明のこの第４実施例の機能は、以上の説明及び以下の説明から明らかである。
【００４８】
カップボードを壁に対して組み立てるとき、弾性エレメント１０３をフック９１の前端で押し、かくして歯９５を通してバー９７の区分９６と係合する（図１７乃至図２０参照）。
【００４９】
歯９５が区分９６と係合した後、弾性エレメント１０３は、フック９１の自由端の上方のその元の休止位置に自動的に戻り（図１９及び図２０参照）、かくして、カップボード１０５に上方に差し向けられた力が加わった場合、フック９１が偶発的に外れることがないようにする。前記カップボード１０５は、肩部１０６、ヘッド１０７、及びカバー１０８を含む。
【００５０】
他方、エレメント１０３が可撓性であるため、フック９１を通路１０４を通して意図的に抜くことができ、かくしてカップボードを壁から取り外すことができる。この目的のため、エレメント１０３を工具で曲げるので十分である。
【００５１】
図２１乃至図２９は、本発明の第５実施例を示す。ここでは、カップボード１１０は一部しか示されておらず、肩部１１１、ヘッド１１２、及びカバー１１３を含む。
【００５２】
前記カップボード１１０は、ペグ１１６によって壁１１４に固定されたプレート１１５によって、壁１１４に対して吊り下げられる。
【００５３】
添付図面から明らかにわかるように、前記プレート１１５は、コア１１７及びウィング１１８を持つ「Ｃ」字形状中央区分を含む。
【００５４】
プレート１１５を壁１１４にペグ１１６によって固定するための穴１２０1が設けられたフランジ１１９がウィング１１８から延びている。
【００５５】
コア１１７は少なくとも一つの開口部１２０を有する。図示の例では、二つの開口部１２０が設けられている。これらの開口部の上半部が、弾性的に撓む金属製の薄層板１２１によって部分的に閉鎖されている。
【００５６】
開口部１２０及び薄層板１２１は、通路１２２を形成する。前記可撓性薄層板１２１は、コア１１７の中央拘束部１２３を中心として（右方又は左方に）曲がる。
【００５７】
カップボード１１０は、例えば欧州特許第ＥＰ  ００３３１７９  Ｂ１号及び欧州特許第ＥＰ  ０６３２９７９  Ａ１号に記載された一般に周知の種類のカップボード保持デバイス１２４によってプレート１１５にフック止めされる。これらの特許を以下に詳細に参照する。
【００５８】
カップボード保持デバイス１２４は、ボックス状本体１２６から延びる移動自在のフック１２５を含む。
【００５９】
ボックス状本体１２６の内部には、ねじ１２７、１２８の夫々によってフック１２５の深さ位置及び高さ位置を調節する機構が設けられている。
【００６０】
フック１２５の前部は、添付図面に示すように、プレート１１５にフック止めするのに適した歯１２９で終端する。
【００６１】
更に詳細には、可撓性薄層板１２１を曲げることによってフック１２５の前端を開口部１２０に挿入（図２４、図２５、及び図２６参照）する。かくして、歯１２９をプレート１１５のコア１１７にフック止めできる。歯１２９がこの位置にある状態では、薄層板１２１にはもはや応力が加わっておらず、図２７及び図２８の休止位置に戻り、フック１２５の上にあり、かくしてプレート１１５との係合が偶発的に外れることはない。
【００６２】
カップボードを壁から取り外すためには、可撓性薄層板１２１を工具で図２４、図２５、及び図２６の位置に曲げ、プレート１１５のコア１１７と係合した状態から外すので十分である。
【００６３】
図３０、図３１、及び図３２は、カップボード１５０を部分的に示す本発明の第６実施例を示す図である。このカップボードは、肩部１５１、ヘッド１５２、及びカバー１５３を含む。
【００６４】
前記カップボード１５０は、ペグ１５６によって壁１５４に固定された支持体１５５（バー又はプレート）によって  壁１５４に吊り下げられる。
【００６５】
添付図面から明らかにわかるように、前記支持体１５５は、中央コア１５７及びウィング１５８を持つ「Ｃ」字形状区分を含む。区分１５９が上ウィング１５８から垂直方向に延びており、ウィング１５８自体と平行なフラップ１６０で終端する。
【００６６】
カップボード１５０は、例えば欧州特許第ＥＰ  ００３３１７９  Ｂ１号及び欧州特許第ＥＰ  ０６３２９７９  Ａ１号に記載された一般に周知の種類のカップボード保持デバイス１６１によって支持体１５５にフック止めされる。これらの特許を以下に詳細に参照する。
【００６７】
カップボード保持デバイス１６１は、ボックス状本体１６３から延びる移動自在のフック１６２を含む。
【００６８】
ボックス状本体１６３の内部には、ねじ１６４、１６５の夫々によってフック１６２の深さ位置及び高さ位置を調節する機構が設けられている。
フック１６２の前部は、支持体１５５のフラップ１６０と実質的に相補的なフック状の歯１６７で終端する。
【００６９】
このようにして、図３０及び図３１に示すようにカップボードを壁に吊り下げた後、フックの深さを調節し、従って、フック状フラップ１６７を支持体１５５のフラップ１６０にしっかりとフック止めし、カップボードがフック止めされた状態から偶発的に外れることがないようにする。
【００７０】
カップボードが壁にフック止めされた状態から取り外すことができるようにするため、フック１６２の深さ調節と逆方向に作用するので十分である。
【００７１】
かくして、本明細書の冒頭で言及した目的が達成される。
【００７２】
本発明の保護範囲は、添付の特許請求の範囲に定義されている。
【符号の説明】
【００７３】
４０  カップボード保持デバイス
４１  フック
４２  ボックス状本体
４３、４４  ねじ
４５  歯
４６  区分
４７  バー
４８  壁
４９  ペグ
５０  チャンネル
５１  グレイン
５２  ねじ部分
５３  チップ
５４  賦形ヘッド
５５  ネジ回し
５６  ねじ座
５７  フランジ
５８  壁掛け型カップボード
５９  肩部
６０  ヘッド
６１  カバー
【図１】
2012524873.tif 000003
【図２】
2012524873.tif 000004
【図３】
2012524873.tif 000005
【図４】
2012524873.tif 000006
【図５】
2012524873.tif 000007
【図６】
2012524873.tif 000008
【図７】
2012524873.tif 000009
【図８】
2012524873.tif 000010
【図９】
2012524873.tif 000011
【図１０】
2012524873.tif 000012
【図１１】
2012524873.tif 000013
【図１２】
2012524873.tif 000014
【図１３】
2012524873.tif 000015
【図１４】
2012524873.tif 000016
【図１５】
2012524873.tif 000017
【図１６】
2012524873.tif 000018
【図１７】
2012524873.tif 000019
【図１８】
2012524873.tif 000020
【図１９】
2012524873.tif 000021
【図２０】
2012524873.tif 000022
【図２１】
2012524873.tif 000023
【図２２】
2012524873.tif 000024
【図２３】
2012524873.tif 000025
【図２４】
2012524873.tif 000026
【図２５】
2012524873.tif 000027
【図２６】
2012524873.tif 000028
【図２７】
2012524873.tif 000029
【図２８】
2012524873.tif 000030
【図２９】
2012524873.tif 000031
【図３０】
2012524873.tif 000032
【図３１】
2012524873.tif 000033
【図３２】
2012524873.tif 000034
【図３３】
2012524873.tif 000035
【図３４】
2012524873.tif 000036
【図３５】
2012524873.tif 000037
【国際調査報告】
2012524873.tif 000038
2012524873.tif 000039